(57)【要約】【課題】  暗い場所でも使用できる発光キーボードを提供する。【解決手段】  透明な上カバー（１０）と、接触プレート（２０）と、導電プレート（３０）と、発光プレート（４０）と、ベース（５０）とを備える発光キーボードであって、  該上カバー（１０）に目印を有する複数の入力キー（１２）が設けられ、  該接触プレート（２０）には前記入力キー（１２）に対して弾力を有する接触ブロック（２２）が設けられ、  該導電プレート（３０）は複数層であり、その上に入力キー（１２）に対する接点（３２）が設けられ、  該発光プレート（４０）は電源と接続され、  該ベース（５０）は前記発光プレート（４０）と、導電プレート（３０）と、接触プレート（２０）と、上カバー（１０）との収容座として使用されることを特徴とする。【選択図】  図１
0003101665.tif 000002
【実用新案登録請求の範囲】
【請求項１】
透明な上カバー（１０）と、接触プレート（２０）と、導電プレート（３０）と、発光プレート（４０）と、ベース（５０）とを備える発光キーボードであって、
該上カバー（１０）に目印を有する複数の入力キー（１２）が設けられ、
該接触プレート（２０）には前記入力キー（１２）に対して弾力を有する接触ブロック（２２）が設けられ、
該導電プレート（３０）は複数層であり、その上に入力キー（１２）に対する接点（３２）が設けられ、
該発光プレート（４０）は電源と接続され、
該ベース（５０）は前記発光プレート（４０）と、導電プレート（３０）と、接触プレート（２０）と、上カバー（１０）との収容座として使用されることを特徴とする発光キーボード。
【請求項２】
前記発光プレート（４０）はトランス（４２）と連接する蛍光板であり、前記導電プレート（３０）は三層であり、第一層及び第三層に入力キー（１２）に対する接点（３２）が設けられ、第二層に入力キー（１２）に対する孔（３４）が形成されることにより、第一層と第三層の導電プレート（３０）における接点（３２）を互いに接触することを特徴とする請求項１に記載の発光キーボード。
【請求項３】
前記発光プレート（４０）には前記接点（３２）の両側に対する湾曲状の発光部（４４）が設けられることを特徴とする請求項２に記載の発光キーボード。
【考案の詳細な説明】
【技術分野】
【０００１】
本考案は、特に暗い場所でも使用できる発光キーボードに関するものである。
【背景技術】
【０００２】
従来のパソコン用キーボードは不透明なプラスチックから構成されるものである。又、現在のパソコンは無停電電源装置（Uninterruptible Power Supply、 UPS）が配置することにより、停電時に一定時間電力をパソコンに提供することができる。
【考案の開示】
【考案が解決しようとする課題】
【０００３】
しかしながら、上記パソコンには無停電電源装置を配置しても、パソコン用キーボードにおける目印が暗い場所に殆ど見えないので、キーボード使用の初心者には該パソコン用キーボードによって入力し続けることができない。
【０００４】
そこで、案出されたのが本考案であって、暗い場所でも使用できる発光キーボードを提供することを目的としている。
【課題を解決するための手段】
【０００５】
本願の請求項１の考案は、透明な上カバー（１０）と、接触プレート（２０）と、導電プレート（３０）と、発光プレート（４０）と、ベース（５０）とを備える発光キーボードであって、
該上カバー（１０）に目印を有する複数の入力キー（１２）が設けられ、
該接触プレート（２０）には前記入力キー（１２）に対して弾力を有する接触ブロック（２２）が設けられ、
該導電プレート（３０）は複数層であり、その上に入力キー（１２）に対する接点（３２）が設けられ、
該発光プレート（４０）は電源と接続され、
該ベース（５０）は前記発光プレート（４０）と、導電プレート（３０）と、接触プレート（２０）と、上カバー（１０）との収容座として使用されることを特徴とする発光キーボード及び、
本願の請求項２の考案は、前記発光プレート（４０）はトランス（４２）と連接する蛍光板であり、前記導電プレート（３０）は三層であり、第一層及び第三層に入力キー（１２）に対する接点（３２）が設けられ、第二層に入力キー（１２）に対する孔（３４）が形成されることにより、第一層と第三層の導電プレート（３０）における接点（３２）を互いに接触することを特徴とする請求項１に記載の発光キーボード及び、
本願の請求項３の考案は、前記発光プレート（４０）には前記接点（３２）の両側に対する湾曲状の発光部（４４）が設けられることを特徴とする請求項２に記載の発光キーボード、を提供する。
【考案の効果】
【０００６】
本考案は上記の課題を解決するものであり、透明な上カバーと該上カバーの下方に設けられる発光プレートを有することにより、真っ暗の場所でも楽にキーボードで入力することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る発光キーボードの斜視図であり、図２は本考案に係る発光キーボードの分解斜視図であり、図３は本考案に係る発光キーボードの他実施例を示す一部平面図であり、図４は本考案に係る発光キーボードにおける蛍光板とパソコン電源との接続回路図であり、図５は本考案に係る発光キーボードがノートブックコンピューターに使用する状態を示す斜視図であり、図６は本考案に係る発光キーボードが卓上型コンピューターに使用する状態を示す斜視図である。
【０００９】
図１及び図２に示すように、本考案に係る発光キーボードは透明な上カバー（１０）と、シリコンからなる接触プレート（２０）と、導電プレート（３０）と、発光プレート（４０）と、ベース（５０）とを備え、上カバー（１０）に目印を有する複数の入力キー（１２）が設けられ、接触プレート（２０）には前記入力キー（１２）に対して弾力を有する接触ブロック（２２）が設けられ、導電プレート（３０）は三層であり、第一層及び第三層に入力キー（１２）に対する接点（３２）が設けられ、第二層に入力キー（１２）に対する孔（３４）が形成されることにより、第一層と第三層の導電プレート（３０）における接点（３２）を互いに接触することができる。
【００１０】
前記発光プレート（４０）はトランス（４２）と連接する蛍光板であり、該蛍光板は全体的に発光しても良く、又は、図３に示すように、前記接点（３２）の両側に対する湾曲状の発光部（４４）が設けられることにより、部分的に発光しても良い。
【００１１】
図４に示すように、パソコン電源から５Ｖ電圧の電流をトランス（４２）に入力すると、該トランス（４２）によって１２０Ｖ電圧の電流を発光プレートに出力する。
【００１２】
前記ベース（５０）は前記発光プレート（４０）と、トランス（４２）と、導電プレート（３０）と、接触プレート（２０）と、上カバー（１０）との収容座として使用される。
【００１３】
パソコン電源との接続ことによって発光プレート（４０）を発光させると共に、透明な上カバー（１０）を介して発光キーボードの上方へ発光することができる。
【００１４】
又、図５及び図６に示すように、本考案に係る発光キーボードはノートブックコンピューター又は卓上型コンピューターに適用する。
【産業上の利用可能性】
【００１５】
本考案は上記の構成を有するので、透明な上カバーと該上カバーの下方に設けられる発光プレートを有することにより、真っ暗の場所でも楽にキーボードで入力することができる。
【図面の簡単な説明】
【００１６】
【図１】本考案に係る発光キーボードの斜視図である。
【図２】本考案に係る発光キーボードの分解斜視図である。
【図３】本考案に係る発光キーボードの他実施例を示す一部平面図である。
【図４】本考案に係る発光キーボードにおける蛍光板とパソコン電源との接続回路図である。
【図５】本考案に係る発光キーボードがノートブックコンピューターに使用する状態を示す斜視図である。
【図６】本考案に係る発光キーボードが卓上型コンピューターに使用する状態を示す斜視図である。
【符号の説明】
【００１７】
１０        上カバー
１２        入力キー
２０        接触プレート
２２        接触ブロック
３０        導電プレート
３２        接点
３４        孔
４０        発光プレート
４２        トランス
４４        発光部
５０        ベース
６０        ノートブックコンピューター
７０        卓上型コンピューター
【図１】
0003101665.tif 000003
【図２】
0003101665.tif 000004
【図３】
0003101665.tif 000005
【図４】
0003101665.tif 000006
【図５】
0003101665.tif 000007
【図６】
0003101665.tif 000008